(57)【要約】      （修正有）【課題】半球状部分の平面部に配したキャラクターをユーザに違和感がない通常状態により近い状態に見せることができる、半球状部を有する成形体を提供する。【解決手段】透明な半球状部分２０を有する本体部１２と、半球状部分２０の平面部２４に配置されたキャラクター部１４とで成形体１０を構成する。そして、キャラクター部１４に表された図形を、通常状態と比較して所定の倍率で縮小されており、かつ、平面部２４の中心に対応する中心位置との間の距離も当該倍率で短縮されたものにする。【選択図】図２
2020054604.tif 000002
【特許請求の範囲】
【請求項１】
透明な半球状部分を有する本体部と、
前記半球状部分の平面部に配置されたキャラクター部とを備えており、
前記キャラクター部に表された図形は、通常状態と比較して所定の倍率で縮小されており、かつ、前記平面部の中心に対応する中心位置との間の距離も前記倍率で短縮されている
成形体。
【請求項２】
透明な半球状部分を有する本体部を用意し、
前記半球状部分の平面部に対して、通常状態と比較して所定の倍率で縮小されており、かつ、前記平面部の中心に対応する中心位置との間の距離も前記倍率で短縮されている図形が表されたキャラクター部を配置する
成形体の製造方法。
【発明の詳細な説明】
【技術分野】
【０００１】
本発明は、例えばキーホルダーやキャラクターおもちゃとしての成形体を製造する方法に関する。
【背景技術】
【０００２】
従前から、樹脂等を用いてキーホルダーに取り付ける成形体を成形することが一般的に行われており、当該成形体に表されるアニメやゲームのキャラクターの形状に応じて、成形体の形状も様々な三次元形状に設計されている。
【０００３】
例えば、当該成形体に表すキャラクターに球状あるいは半球状部分が存在している場合には、当該球状部分に合わせて成形体を球状あるいは半球状に形成することで、三次元形状的にも当該キャラクターを表現できるようになっている。
【０００４】
樹脂等を用いてこの球状あるいは半球状部分を形成する方法については、例えば、特許文献１に開示されている。
【先行技術文献】
【特許文献】
【０００５】
【特許文献１】特開平５−１６９４８１号公報
【発明の概要】
【発明が解決しようとする課題】
【０００６】
しかしながら、透明な樹脂等を用いて単なる球状あるいは半球状部分を成形するだけではキャラクターを表した成形体を構成するのに問題があった。
【０００７】
透明な半球状部分を有するキャラクターの成形体を構成する場合、当該半球状部分の平面部にキャラクターをインクジェット方式等の方法で印刷したり、当該平面部にキャラクターを表した台紙等を取り付けたりする。また、球状部分を有するキャラクターの成形体の場合は、一対の半球状体を用意し、各半球状体の平面部に同様にキャラクターを印刷したり、当該キャラクターを表した台紙等を取り付けたりした後、両半球状体の平面部同士を当接させて球状部分を構成するようになっている。
【０００８】
このように、印刷や台紙等の方法でキャラクターを半球状部分に取り付けたとき、透明な半球状部分が凸レンズの効果を奏することから、外部から当該半球状部分を介して見えるキャラクターの形状が歪んで見えてしまい（図６参照）、当該キャラクターをユーザの違和感がない状態で見せることが難しいという問題があった。
【０００９】
本発明は、上述した問題に鑑みてなされたものであり、その目的は、半球状部分の平面部に配したキャラクターをユーザに違和感がない通常状態により近い状態に見せることができる、半球状部を有する成形体およびその製造方法を提供することにある。
【課題を解決するための手段】
【００１０】
本発明の一局面によれば、
透明な半球状部分を有する本体部と、
前記半球状部分の平面部に配置されたキャラクター部とを備えており、
前記キャラクター部に表された図形は、通常状態と比較して所定の倍率で縮小されており、かつ、前記平面部の中心に対応する中心位置との間の距離も前記倍率で短縮されている
成形体が提供される。
【００１１】
本発明の他の局面によれば、
透明な半球状部分を有する本体部を用意し、
前記半球状部分の平面部に対して、通常状態と比較して所定の倍率で縮小されており、かつ、前記平面部の中心に対応する中心位置との間の距離も前記倍率で短縮されている図形が表されたキャラクター部を配置する
成形体の製造方法が提供される。
【発明の効果】
【００１２】
本発明によれば、透明な半球状部分における凸レンズの効果を見越して、本体部に配置するキャラクター部の図形を予め所定の倍率で縮小配置しておくことにより、半球状部分の平面部に配したキャラクターをユーザに違和感がない通常状態により近い状態に見せることができる、半球状部を有する成形体およびその製造方法を提供できた。
【図面の簡単な説明】
【００１３】
【図１】本発明が適用された成形体１０の一例を示す正面図である。
【図２】本発明が適用された成形体１０の一例を示す左側面図である。
【図３】実施形態に係るキャラクターの「通常状態」を示す図である。
【図４】実施形態に係るキャラクター部１４に表された図形３０（キャラクター）を示す図である。
【図５】変形例１に係る成形体１０の一例を示す左側面図である。
【図６】キャラクターの形状が歪んで見えることを説明する図である。（ａ）が「通常状態」を示しており、（ｂ）が歪んで見える状態を示している。
【発明を実施するための形態】
【００１４】
（成形体１０の構造）
図１及び図２を用いて、実施形態に係る成形体１０の構造について説明する。実施形態に係る成形体１０は、大略、本体部１２と、キャラクター部１４と、背面部１６と、チェーン取付部１８とを備えており、例えば、キーホルダーやキャラクターおもちゃ等の用途に使用される。
【００１５】
本体部１２は、一例として、透明な樹脂等で形成された部材であり、少なくとも１つの透明な半球状部分２０と板状部分２２とを有している。もちろん、半球状部分２０のみで本体部１２を構成してもよい。「樹脂等」の例としては、ポリスチレン系樹脂、ポリオレフィン系樹脂、アクリル、ポリフェニレンテーテル、ポリアミド、ポリプロピレン、ポリエチレン等が考えられる。
【００１６】
なお、本明細書の全体を通して、「透明」とは、後述するように、本体部１２の裏面に配置したキャラクター部１４に表されたキャラクターの図形３０をユーザが本体部１２を介して見ることができる程度に透けていることを意味し、このように透けて見える限りにおいて、着色されていたり、光を反射して光る微小な箔等が含まれていたりするようなものも全て「透明」の範疇に含まれる。
【００１７】
また、本明細書の全体を通して、「半球状」および「球状」とは、幾何学的に厳密な「半球」および「球」に限定されるものではなく、ユーザが見たときに「半球状」および「球状」と認識できる程度の形状であれば、すべてを含む概念である。
【００１８】
キャラクター部１４は、少なくとも、上記本体部１２の半球状部分２０における平面部２４、つまり、本体部１２の裏面における半球状部分２０に対応する部分に配置されており、本実施例では、本体部１２の裏面に直接インクジェットプリントすることによってキャラクター部１４が形成されている。もちろん、キャラクター部１４の形成方法はこれに限定されるものではなく、所望のキャラクターを描いた台紙等の別部材を本体部１２の裏面に取り付けることでキャラクター部１４を形成してもよい。
【００１９】
次に、このキャラクター部１４に表された図形３０について説明する。なお、本明細書の全体を通して、キャラクター部１４に表された「図形３０」とは、当該キャラクター部１４に表されるキャラクターの構成要素（例えば、人のキャラクターであれば、目、眉、鼻、口等の図形）の総称を意味している。
【００２０】
図３には、本実施形態に係るキャラクターの「通常状態」が示されている。この「通常状態」とは、ユーザが見たときに違和感がない状態と言い換えることができる。例えば、多くのユーザが知っているキャラクターの場合であれば、当該キャラクターの一部や全部に歪み等がない、そのままの状態が「通常状態」である。
【００２１】
これに対し、図４に示すように、キャラクター部１４に表された図形３０（キャラクター）は、通常状態と比較して所定の倍率で縮小されており、かつ、本体部１２の半球状部分２０における平面部２４の中心に対応する中心位置Ｃとの間の距離も同じ倍率で短縮されている。
【００２２】
例えば、本実施形態におけるキャラクターの「目」に相当する図形３０に着目すると、当該「目」自体の大きさは、図３に表された「通常状態」に比べて、図４ではより小さく縮小された状態になっている。これは「鼻」や「口」に相当する図形３０も同じである。また、中心位置Ｃと「目」に相当する図形３０との間の距離に着目すると、図３に表された「通常状態」に比べて、図４において「目」に相当する図形３０がより中心位置Ｃに近い位置に表されていることから、当該距離はより短く縮小された状態になっている。これは「鼻」や「口」に相当する図形３０も同じである。
【００２３】
このため、後述するように半球状部分２０を介してではなく、当該キャラクター部１４の図形３０を直接みたとき、ユーザにとって違和感のある状態になっている（図４参照）。
【００２４】
なお、キャラクター部１４に表される図形３０の縮小倍率および中心位置Ｃとの間の距離の縮小倍率は、いずれも、「通常状態」に比べて６５％以上７５％以下であることが好適である。縮小倍率が６５％よりも小さくなると半球状部分２０を介して見たときにキャラクターの図形３０が小さくかつ中心位置Ｃに寄った状態に見える点で違和感があり、逆に、縮小倍率が７５％よりも大きくなると半球状部分２０を介して見たときにキャラクターの図形３０が大きくかつ中心位置Ｃから離れすぎた状態に見える点で違和感があるからである。
【００２５】
背面部１６は、本体部１２と同様に透明な樹脂等で形成された部材であり、本実施形態では半球状部分２０を有していない単なる板状になっている。この背面部１６の裏面にもインクジェットプリント等の手段でキャラクター等の図形（図示せず）が表されており、当該図形が外部から見えるようになっている。
【００２６】
チェーン取付部１８は、成形体１０にチェーン等を取り付ける場合に使用する部分である。なお、当該チェーン取付部１８は必須の構成要素ではなく、必要に応じて設ければよい。
【００２７】
（成形体１０の製造方法）
次に、上述した本実施形態に係る成形体１０の製造方法について説明する。まず、一般的な射出成形技術を用いて、所定の形状の本体部１２、および、背面部１６を形成する。
【００２８】
そして、本体部１２の裏面、および、背面部１６の裏面にそれぞれ所定の図形３０を配置する。これにより、少なくとも本体部１２の裏面にキャラクター部１４が形成される。
【００２９】
然る後、本体部１２の裏面と背面部１６の裏面とが互いに向かい合わせとなるようにして、接着等の手段を用いて本体部１２と背面部１６とを互いに固定する。以上により、成形体１０が完成する。
【００３０】
（成形体１０の特徴）
本実施形態に係る成形体１０によれば、透明な半球状部分２０における凸レンズの効果を見越して、本体部１２に配置するキャラクター部１４の図形３０を予め所定の倍率で縮小配置しておくことにより、半球状部分２０の平面部２４に配したキャラクターをユーザに違和感がない通常状態により近い状態に見せることができる。
【００３１】
（変形例１）
上述した実施形態では、本体部１２と背面部１６とで１つの成形体１０を構成していたが、これに代えて、図５に示すように、一対の本体部１２を互いに組み合わせることで１つの成形体１０を構成してもよい。
【００３２】
具体的には、背面にキャラクター部１４が配置された一対の本体部１２を用意し、互いに背面同士を向かい合わせにして組み合わせ固定することで１つの成形体１０が完成する。
【００３３】
これにより、一対の本体部１２における半球状部分２０の位置を一致させれば、球状部分２６を構成することができる。もちろん、当該球状部分２６において、ユーザが本体部１２を介して違和感のない通常状態により近い状態のキャラクターを見ることができることは言うまでもない。
【００３４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００３５】
１０…成形体、１２…本体部、１４…キャラクター部、１６…背面部、１８…チェーン取付部
２０…半球状部分、２２…板状部分、２４…平面部、２６…球状部分
３０…図形
Ｃ…中心位置
【図１】
2020054604.tif 000003
【図２】
2020054604.tif 000004
【図３】
2020054604.tif 000005
【図４】
2020054604.tif 000006
【図５】
2020054604.tif 000007
【図６】
2020054604.tif 000008